【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
ユーザが閲覧を希望する情報を表示装置に表示する表示方法であって、
前記表示装置に、当該表示装置が設置されている場所に訪れた前記ユーザの携帯型端末装置と通信を行うための通信手段を設けておき、
ネットワークを介して前記携帯型端末装置からサーバに対して前記表示装置を指定するとともに前記情報を要求することによって、当該表示装置の仕様に応じた、当該情報を表示するための画面データを、前記サーバからネットワークを介して当該携帯型端末装置に送信し、
前記携帯型端末装置が受信した前記画面データを前記表示装置に転送し、
転送された前記画面データに基づいて前記表示装置に前記情報を表示する、
ことを特徴とする表示方法。
【請求項２】
情報を配信する情報配信システムと、当該情報を表示する１台または複数台の表示装置と、を有してなる表示システムであって、
前記情報配信システムには、
前記表示装置ごとの仕様を記憶する仕様記憶手段と、
前記仕様ごとに応じた、前記情報を表示するための画面データを記憶する、画面データ記憶手段と、
ユーザが閲覧を希望する前記情報および当該ユーザが使用する前記表示装置の指定を当該ユーザの携帯型端末装置から受け付ける受付手段と、
前記受付手段によって受け付けられた前記指定に係る前記情報の前記画面データのうちの、当該指定に係る前記表示装置の仕様に応じたものを、前記ユーザの携帯型端末装置に送信する送信手段と、が設けられ、
前記表示装置には、
当該表示装置が設置されている場所に訪れた前記ユーザの携帯型端末装置が前記情報配信システムから受信した前記画面データを、当該携帯型端末装置から受信する受信手段と、
受信した前記画面データに基づいて前記情報を表示する表示手段と、が設けられ、
てなることを特徴とする表示システム。
【請求項３】
前記表示装置には、ネットワークを介して前記情報配信システムから前記画面データを受信する第二の受信手段が設けられており、
前記送信手段は、送信しようとする前記画面データが所定のサイズよりも大きい場合は、当該画面データを、当該携帯型端末装置に送信する代わりに当該ユーザが使用する前記表示装置に送信し、
前記表示手段は、前記第二の受信手段が受信した前記画面データに基づいて前記情報を表示する、
請求項２記載の表示システム。
【請求項４】
情報を配信する情報配信システムと、当該情報を表示する１台または複数台の表示装置と、を有してなる表示システムであって、
前記情報配信システムには、
前記表示装置の仕様ごとに応じた、前記情報を表示するための画面データを記憶する、画面データ記憶手段と、
ユーザが閲覧を希望する前記情報の指定および当該ユーザが使用する前記表示装置の仕様を示す仕様情報を当該ユーザの携帯型端末装置から受け付ける受付手段と、
前記受付手段によって受け付けられた前記指定に係る前記情報の前記画面データのうちの、当該指定とともに受け付けた前記仕様情報に示される仕様に応じたものを、前記ユーザの携帯型端末装置に送信する送信手段と、が設けられ、
前記表示装置には、
当該表示装置が設置されている場所に訪れた前記ユーザの携帯型端末装置が前記情報配信システムから受信した前記画面データを、当該携帯型端末装置から受信する受信手段と、
受信した前記画面データに基づいて前記情報を表示する表示手段と、が設けられ、
てなることを特徴とする表示システム。
【請求項５】
携帯型端末装置から画面データを受信する手段と画面データに基づいて情報を表示する手段とを有する１台または複数台の表示装置が設けられた表示システムに用いられる情報配信システムであって、
前記表示装置の仕様ごとに応じた、前記情報を表示するための画面データを記憶する、画面データ記憶手段と、
ユーザが使用する前記表示装置および閲覧を希望する前記情報の指定を当該ユーザの携帯型端末装置から受け付ける受付手段と、
受け付けた前記指定に係る前記表示装置に応じた、当該指定に係る前記情報を表示するための画面データを、前記ユーザの携帯型端末装置に送信する送信手段と、
を有してなることを特徴とする情報配信システム。
【請求項６】
前記表示装置は、ネットワークを介して当該情報配信システムから画面データを受信する手段を有しており、
前記送信手段は、前記指定に係る前記情報を表示するための画面データが所定のサイズよりも大きい場合は、当該画面データを、当該携帯型端末装置に送信する代わりに当該指定に係る前記表示装置に送信する、
請求項５記載の情報配信システム。
【請求項７】
前記ユーザに対して当該ユーザが使用した前記表示装置の使用料金および当該ユーザの携帯型端末装置に配信した前記情報の提供料金を請求するための処理を行う料金処理手段を有してなる、
請求項５または請求項６記載の情報配信システム。
【請求項８】
画面データを受信する手段および当該画面データに基づいて情報を表示する手段を有する１台または複数台の表示装置と、前記表示装置の仕様ごとに応じた、前記情報を表示するための画面データを配信する、情報配信サーバと、が設けられた表示システムに用いられる携帯型端末装置であって、
ユーザが閲覧を希望する前記情報および当該情報の閲覧に使用する前記表示装置を前記情報配信サーバに対して指定する指定手段と、
指定した前記情報を指定した前記表示装置に表示するための画面データを前記情報配信サーバから受信する受信手段と、
受信した画面データを前記ユーザが閲覧に使用する前記表示装置に転送する転送手段と、
を有してなることを特徴とする携帯型端末装置。
【手続補正２】
【補正対象書類名】明細書
【補正対象項目名】０００８
【補正方法】変更
【補正の内容】
【０００８】
【課題を解決するための手段】
本発明に係る表示方法は、ユーザが閲覧を希望する情報を表示装置に表示する表示方法であって、前記表示装置に、当該表示装置が設置されている場所に訪れた前記ユーザの携帯型端末装置と通信を行うための通信手段を設けておき、ネットワークを介して前記携帯型端末装置からサーバに対して前記表示装置を指定するとともに前記情報を要求することによって、当該表示装置の仕様に応じた、当該情報を表示するための画面データを、前記サーバからネットワークを介して当該携帯型端末装置に送信し、前記携帯型端末装置が受信した前記画面データを前記表示装置に転送し、転送された前記画面データに基づいて前記表示装置に前記情報を表示する。
【手続補正３】
【補正対象書類名】明細書
【補正対象項目名】０００９
【補正方法】変更
【補正の内容】
【０００９】
本発明に係る表示システムは、情報を配信する情報配信システムと、当該情報を表示する１台または複数台の表示装置と、を有してなる表示システムであって、前記情報配信システムには、前記表示装置ごとの仕様を記憶する仕様記憶手段と、前記仕様ごとに応じた、前記情報を表示するための画面データを記憶する、画面データ記憶手段と、ユーザが閲覧を希望する前記情報および当該ユーザが使用する前記表示装置の指定を当該ユーザの携帯型端末装置から受け付ける受付手段と、前記受付手段によって受け付けられた前記指定に係る前記情報の前記画面データのうちの、当該指定に係る前記表示装置の仕様に応じたものを、前記ユーザの携帯型端末装置に送信する送信手段と、が設けられ、前記表示装置には、当該表示装置が設置されている場所に訪れた前記ユーザの携帯型端末装置が前記情報配信システムから受信した前記画面データを、当該携帯型端末装置から受信する受信手段と、受信した前記画面データに基づいて前記情報を表示する表示手段とが設けられてなる。
【手続補正４】
【補正対象書類名】明細書
【補正対象項目名】００１０
【補正方法】変更
【補正の内容】
【００１０】
または、前記表示装置には、ネットワークを介して前記情報配信システムから前記画面データを受信する第二の受信手段が設けられており、前記送信手段は、送信しようとする前記画面データが所定のサイズよりも大きい場合は、当該画面データを、当該携帯型端末装置に送信する代わりに当該ユーザが使用する前記表示装置に送信し、前記表示手段は、前記第二の受信手段が受信した前記画面データに基づいて前記情報を表示する。
【手続補正５】
【補正対象書類名】明細書
【補正対象項目名】００１１
【補正方法】変更
【補正の内容】
【００１１】
または、前記情報配信システムの各手段を次のように構成してもよい。前記画面データ記憶手段は、前記表示装置の仕様ごとに応じた、前記情報を表示するための画面データを記憶する。前記受付手段は、ユーザが閲覧を希望する前記情報の指定および当該ユーザが使用する前記表示装置の仕様を示す仕様情報を当該ユーザの携帯型端末装置から受け付ける。前記送信手段は、前記受付手段によって受け付けられた前記指定に係る前記情報の前記画面データのうちの、当該指定とともに受け付けた前記仕様情報に示される仕様に応じたものを、前記ユーザの携帯型端末装置に送信する。
【手続補正６】
【補正対象書類名】明細書
【補正対象項目名】００１２
【補正方法】変更
【補正の内容】
【００１２】
本発明に係る情報配信システムは、携帯型端末装置から画面データを受信する手段と画面データに基づいて情報を表示する手段とを有する１台または複数台の表示装置が設けられた表示システムに用いられる情報配信システムであって、前記表示装置の仕様ごとに応じた、前記情報を表示するための画面データを記憶する、画面データ記憶手段と、ユーザが使用する前記表示装置および閲覧を希望する前記情報の指定を当該ユーザの携帯型端末装置から受け付ける受付手段と、受け付けた前記指定に係る前記表示装置に応じた、当該指定に係る前記情報を表示するための画面データを、前記ユーザの携帯型端末装置に送信する送信手段とを有してなる。
【手続補正７】
【補正対象書類名】明細書
【補正対象項目名】００１３
【補正方法】変更
【補正の内容】
【００１３】
好ましくは、前記表示装置は、ネットワークを介して当該情報配信システムから画面データを受信する手段を有しており、前記送信手段は、前記指定に係る前記情報を表示するための画面データが所定のサイズよりも大きい場合は、当該画面データを、当該携帯型端末装置に送信する代わりに当該指定に係る前記表示装置に送信する。または、前記ユーザに対して当該ユーザが使用した前記表示装置の使用料金および当該ユーザの携帯型端末装置に配信した前記情報の提供料金を請求するための処理を行う料金処理手段を有してなる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明に係る携帯型端末装置は、画面データを受信する手段および当該画面データに基づいて情報を表示する手段を有する１台または複数台の表示装置と、前記表示装置の仕様ごとに応じた、前記情報を表示するための画面データを配信する、情報配信サーバと、が設けられた表示システムに用いられる携帯型端末装置であって、ユーザが閲覧を希望する前記情報および当該情報の閲覧に使用する前記表示装置を前記情報配信サーバに対して指定する指定手段と、指定した前記情報を指定した前記表示装置に表示するための画面データを前記情報配信サーバから受信する受信手段と、受信した画面データを前記ユーザが閲覧に使用する前記表示装置に転送する転送手段とを有してなる。
【手続補正１０】
【補正対象書類名】明細書
【補正対象項目名】符号の説明
【補正方法】変更
【補正の内容】
【符号の説明】
１  大画面表示システム（表示システム）
２  情報配信システム
３  表示装置
４  端末装置（携帯型端末装置）
５  通信回線（ネットワーク）
７１  ファイル（画面データ）
７３  ストリーミングデータ（画面データ）
８１  プログラム（画面データ）
２１４  課金処理部（料金処理部）
２２１  コンテンツ送信部（送信手段）
２２２  コンテンツ記憶部（画面データ記憶手段）
２２３  送信要求受付部（受付手段）
２３１  プログラム送信部（送信手段）
２３２  プログラム記憶部（画面データ記憶手段）
２３３  送信要求受付部（受付手段）
３０１  ユーザ認証要求部（使用可否確認手段）
３０３  第一のコンテンツ受信部（受信手段、通信手段）
３０４  第二のコンテンツ受信部（第二の受信手段）
３０５  表示制御部（表示手段）
４０１  コンテンツ要求部（指定手段）
４０２  コンテンツ受信部（受信手段）
４０５  コンテンツ転送部（転送手段）